(57)【要約】      （修正有）【課題】軽量で着脱が容易で、何人で読んでも各ページがばらけることなく確実に保持でき、二つ折にできるので混み合う電車内でも折り返して新聞を読むことができる新聞ホルダーを提供する。【解決手段】新聞の縦長の半分の長さより短い長さを有し、開口部３を狭く形成した断面Ｕ形をなすプラスチック製ホルダー本体２の、前記開口部３の両側部を形成する挟持片５Ａ、５Ｂの対向する内側面に、ホルダー本体２の長手方向に沿って複数個の筋状突起部７Ｂを形成すると共に、挟持片５Ａ、５Ｂの長手方向に沿った両端部を切欠して挿入部６を形成し、更に挟持片５Ａ、５Ｂの外側面に滑り止め９を形成して、複数ページを二つ折りして重ねた新聞の折り曲げ部を、前記ホルダー本体２の挿入部６から挿入して両挟持片５Ａ、５Ｂで弾性的に挟持するようにした。【選択図】図１
0003142165.tif 000002
【実用新案登録請求の範囲】
【請求項１】
新聞の縦長の長さより短い長さを有し、開口部を狭く形成した断面Ｕ形をなすプラスチック製ホルダー本体の、前記開口部の両側部を形成する挟持片の対向する内側面に、ホルダー本体の長手方向に沿って複数個の筋状突起部を形成すると共に、挟持片の長手方向に沿った端部を切欠して挿入部を形成し、更に挟持片の外側面に滑り止めを形成して、複数ページを二つ折りして重ねた新聞の折り曲げ部を、前記ホルダー本体の挿入部から挿入して両挟持片で弾性的に挟持するようにしたことを特徴とする新聞ホルダー。
【請求項２】
挿入部を一方の挟持片の一方の端部と、他方の挟持片の他方の端部に、斜めに切欠して形成したことを特徴とする請求項１記載の新聞ホルダー。
【請求項３】
挟持片の対向する内側面に、ホルダー本体の長手方向に沿って複数個の筋状突起部を交互に位置をずらせて形成したことを特徴とする請求項１記載の新聞ホルダー。
【考案の詳細な説明】
【技術分野】
【０００１】
本考案は、家庭でも簡便に使用できる新聞ホルダーに関するものである。
【０００２】
一般に事業所や、金融機関、ホテル、図書館などでは、新聞がばらけないように新聞ホルダーに新聞を綴じて架台に設置している。この新聞ホルダーは一対の長尺板の間に新聞を挟んでネジで綴じ込む構造のものや、一本の棒状体の両端にクリップを取付けて、ここで新聞の両端を挟み込む構造のものがある。また開口部を狭く形成した断面コ字形をなすプラスチック製のホルダーと、固定棒を組合せて、新聞の見開き中央の折り線に固定棒を当てて新聞と共に断面コ字形のホルダーに押し込んで固定する新聞ホルダー（例えば特許文献１）がある。
【０００３】
しかしながらこれらの新聞ホルダーは、新聞１ページの大きさで保持して架台に設置するようにしたもので構造が大型で、強固に形成されているため重量も重く、また開いて読むとなると挟持部分の字が隠れて読めなくなるなどの問題が多かった。また新聞を二つ折にして読むこともできないため、混み合う電車内で使用することができず、また家庭で使用するには大掛かりで余り使用されていないのが実状である。
【特許文献１】特開２００２−３２６４８３
【考案の開示】
【考案が解決しようとする課題】
【０００４】
本考案は上記問題を改善し、軽量で着脱が容易で、何人で読んでも各ページがばらけることなく確実に保持でき、二つ折にできるので混み合う電車内でも折り返して新聞を読むことができる新聞ホルダーを提供するものである。
【課題を解決するための手段】
【０００５】
本考案の請求項１記載の新聞ホルダーは、新聞の縦長の長さより短い長さを有し、開口部を狭く形成した断面Ｕ形をなすプラスチック製ホルダー本体の、前記開口部の両側部を形成する挟持片の対向する内側面に、ホルダー本体の長手方向に沿って複数個の筋状突起部を形成すると共に、挟持片の長手方向に沿った端部を切欠して挿入部を形成し、更に挟持片の外側面に滑り止めを形成して、複数ページを二つ折りして重ねた新聞の折り曲げ部を、前記ホルダー本体の挿入部から挿入して両挟持片で弾性的に挟持するようにしたことを特徴とするものである。
【０００６】
本考案の請求項２記載の新聞ホルダーは、請求項１において、挿入部を一方の挟持片の一方の端部と、他方の挟持片の他方の端部に、斜めに切欠して形成したことを特徴とするものである。
【０００７】
本考案の請求項３記載の新聞ホルダーは、請求項１において、挟持片の対向する内側面に、ホルダー本体の長手方向に沿って複数個の筋状突起部を交互に位置をずらせて形成したことを特徴とするものである。
【考案の効果】
【０００８】
本考案に係る請求項１記載の新聞ホルダーによれば、二つ折りした折り曲げ部に取り付けることにより挟持片の弾性力と筋状突起部により摩擦抵抗が大きく、新聞の折り曲げ部がばらけることなく確実に保持することができる。また本考案の新聞ホルダーはプラスチックの成型により簡単に製造できると共に小型、軽量であり、家庭用に限らず、携帯用としても使用することができる。
【０００９】
また新聞ホルダーの長さは、新聞の縦長の半分の長さより短い程度に形成したものは、縦に二つ折りに畳んで読むこともでき、混み合っている電車の車内でも読むことができる。また読み終わった新聞は、折り曲げ部から新聞ホルダーを縦方向に引き抜くことにより容易に外すことができ、何度でも使用することができる。更に挟持片の外側面に滑り止めが形成されているので、新聞ホルダーの取付けや取外しが容易である。
【００１０】
また請求項２記載の新聞ホルダーによれば、挿入部を一方の挟持片の一方の端部と、他方の挟持片の他方の端部に、斜めに切欠して形成したので、新聞の折り曲げ部の上下どちらの方向からでも挿入することができる。
【００１１】
また請求項３記載の新聞ホルダーによれば、ホルダー本体の長手方向に沿って複数個の筋状突起部を交互に位置をずらせて形成したので、重ねた新聞の折り曲げ部が筋状突起部の間でジグザグ状に折り曲げられて挟持され、摩擦抵抗が大きくなり、横方向に新聞ホルダーを引き抜くことができず、新聞の上部片側だけ挟持しても確実に保持することができる。
【考案を実施するための最良の形態】
【００１２】
以下本考案の実施例を図１ないし図５を参照して詳細に説明する。図において１は新聞ホルダーで、２はホルダー本体である。このホルダー本体２は、開口部３を狭く形成した断面Ｕ字形をなすプラスチック製の棒状体で形成され、その長さは図５に示すように、新聞１０の縦長の半分の長さよりやや短い約２５ｃｍ程度で、その幅は１０〜１５ｍｍに形成されている。このホルダー本体２は図２に示すように、挟持片５Ａ、５Ｂを成型して、その突き合わせ部分に形成した凹凸部４を組み合わせて、熱融着して一体に接合し、開口部３を狭くした断面Ｕ字形に形成されている。
【００１３】
また挟持片５Ａの長手方向に沿った一方の端部側と、挟持片５Ｂの長手方向に沿った他方の端部側には、図１および図３に示すように、ここを斜めに切欠して挿入部６、６が形成されている。更に挟持片５Ａ、５Ｂの対向する内側面には、図２に示すようにホルダー本体２の長手方向に沿って、挿入部６の手前まで３本の筋状突起部７Ａ、７Ｂ、７Ｃが形成されている。
【００１４】
挿入部６を形成した挟持片５Ａの中央には図２に示すように筋状突起部７Ｂが、またこれと対向する挟持片５Ｂには、前記筋状突起部７Ｂの両側に位置して筋状突起部７Ａ、７Ｃが形成されている。またその高さは筋状突起部７Ａ、７Ｂ、７Ｃの順に低く形成されている。また筋状突起部７Ａ、７Ｂ、７Ｃの挿入部６側の端部には図３に示すようにテーパー部８が形成されている。また挟持片５Ａ、５Ｂの外側面には、長手方向と直交する方向に複数の凹凸溝により滑り止め９が形成されている。
【００１５】
次に上記構成の新聞ホルダー１の使用方法について説明する。新聞１０は全国紙・地方紙を問わず、ページ数の多少にかかわらず二つ折りとなって宅配される大きさは、縦約２７ｃｍ、横４０．５ｃｍである。この新聞１０の折り曲げ部１１の上部に、図５に示すように手に持った新聞ホルダー１を、挿入部６を下にして、ここから差し込んでいく。
【００１６】
新聞１０のページ数が多くても、斜めに切欠した挿入部６から容易に差し込むことができる。更に新聞ホルダー１を押し下げていくと、図３に示すテーパー部８で滑らかに挟持片５Ａ、５Ｂの間に挿入され、図４に示すように筋状突起部７Ａ、７Ｂ、７Ｃの間でジグザグ状に折り曲げられながら挟持片５Ａ、５Ｂの間に挟持されていく。新聞ホルダー１は図５に示すように、新聞１０の縦長の半分の長さよりやや短い長さに形成されているので、新聞ホルダー１の下端が折り曲げ部１１の上半分に達するまで差し込む。
【００１７】
従って、折り曲げ部１１は挟持片５Ａ、５Ｂの弾性により両側から挟持され、しかも筋状突起部７Ａ、７Ｂ、７Ｃの間でジグザグ状に折り曲げられて挟持されるので摩擦抵抗が大きく、横方向に新聞ホルダー１を引き抜くことができず、新聞１０の上部の折り曲げ部１１だけ挟持しても、ばらけることなく確実に保持することができる。また本考案の新聞ホルダー１はプラスチックの成形により簡単に製造でき、構造も簡単で軽量であり、従来のように多数の部品が不要で、取付ける手間も少なく、安価に製造することができる。
【００１８】
また新聞ホルダー１は、その幅が１０〜１５ｍｍに形成されているので折り曲げ部１１に取付けても印刷面にかからず文字が隠れることがない。更に新聞ホルダー１の長さは、新聞１０の縦長の半分の長さよりやや短い約２５ｃｍ程度に形成され、新聞１０の上部の折り曲げ部１１だけを挟持しているので上下に二つ折りに畳んで読むこともでき、混み合っている電車の車内でも読むことができる。また二つ折りに畳んでコンパクトになるので整理も容易である。また読み終わった新聞１０は、折り曲げ部１１から新聞ホルダー１を上方に引き抜くことにより容易に外すことができ、何度でも使用することができる。
【００１９】
またプラスチック製の新聞ホルダー１は、着色したものでも透明のものでも良いが、新聞の種類により色分けすれば更に便利である。また新聞ホルダー１に新聞社の名称や新聞の種類を印刷しておけば、多数の新聞がある場合に分かり易く、また整理も容易である。
【００２０】
図６は、新聞１０の折り曲げ部１１の上下から２本の新聞ホルダー１、１を取付けて更に確実に保持したものである。この場合、挟持片５Ｂの端部（図では上部）に斜めに切欠した挿入部６が形成されているので、下方からも容易に挿入することができる。
【００２１】
なお上記説明では、新聞ホルダー１を新聞１０の縦長の半分の長さよりやや短く形成した場合について説明したが、新聞１０の縦長の長さよりやや短く形成したものでも良い。
【図面の簡単な説明】
【００２２】
【図１】本考案の実施例による新聞ホルダーの斜視図である。
【図２】図１に示す新聞ホルダーの拡大側面図である。
【図３】図１に示す新聞ホルダー端部の拡大断面図である。
【図４】図２に示す新聞ホルダーに折り曲げ部を挿入した状態を示す拡大断面図である。
【図５】新聞の折り曲げ部の上部に新聞ホルダーを取付けた状態を示す正面図である。
【図６】新聞の折り曲げ部の上下に新聞ホルダーを取付けた状態を示す正面図である。
【符号の説明】
【００２３】
１    新聞ホルダー                                          
２    ホルダー本体                                          
３    開口部                                                
４    凹凸部                                                
５Ａ、５Ｂ  挟持片                                          
６    挿入部６                                              
７Ａ、７Ｂ、７Ｃ  筋状突起部                                
８    テーパー部                                            
９    滑り止め                                              
１０  新聞                                                  
１１  折り曲げ部                                            
【図１】
0003142165.tif 000003
【図２】
0003142165.tif 000004
【図３】
0003142165.tif 000005
【図４】
0003142165.tif 000006
【図５】
0003142165.tif 000007
【図６】
0003142165.tif 000008